(57)【特許請求の範囲】
【請求項１】
本体枠側の横溝に配設されるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、
前記本体枠の横溝に沿って移動される引戸に取り付けられて前記ラッチを待機姿勢から引込姿勢に切り換えたり引込姿勢から待機姿勢に切り換える作動部材とを備え、
前記ラッチが前記待機姿勢から引込姿勢に切り換えられると、前記付勢手段に蓄積されていた付勢力により前記引戸を開から閉へ、又は、閉から開へ引き込む摺動補助機構であって、前記引戸が前記横溝に嵌合する戸首付きであり、前記作動部材が前記引戸の戸首側の端面に取り付けられていることを特徴とする摺動補助機構。
【請求項２】
前記引戸は前記戸首の一部を戸首一端から所定長さ切断した取付部を形成しているとともに、前記作動部材は前記取付部に装着される固定板部及び前記固定板部に突設されて前記ラッチに係脱される係合突起を有していることを特徴とする請求項１に記載の摺動補助機構。
【請求項３】
前記作動部材は、前記固定板部に接続されて固定板部の長手方向に沿う一側に起立されて前記戸首の片面と連続する状態に配置される遮光板部を有していることを特徴とする請求項２に記載の摺動補助機構。
【請求項４】
前記固定板部と前記遮光板部とを縦断面略Ｌ形に形成しているとともに、前記係合突起を前記固定板部の板幅のうち前記遮光板部から離れる側に立設していることを特徴とする請求項３に記載の摺動補助機構。
【請求項５】
前記作動部材は、前記引戸の戸首の一部となる戸首形成部を有していることを特徴とする請求項１から４の何れかに記載の摺動補助機構。
【請求項６】
前記戸首形成部と略直線上に配置される受け部材を有し、前記受け部材及び前記戸首形成部により前記引戸の戸首を形成していることを特徴とする請求項５に記載の摺動補助機構。
【請求項７】
前記作動部材の戸首形成部と前記受け部材との間に配置された遮光部材を有していることを特徴とする請求項６に記載の摺動補助機構。
【請求項８】
前記作動部材は、前記引戸の移動時の傾きないしは跳ね上がりを防ぐために用いられる隙間調整用のスペーサを有していることを特徴とする請求項１から５の何れかに記載の摺動補助機構。
【請求項９】
前記スペーサは、取付部又は前記取付部に一体になった他のスペーサに対し裁断可能に接続されており、裁断後に前記取付部又は前記取付部から延びた延長部に重ねられることを特徴とする請求項８に記載の摺動補助機構。
【請求項１０】
前記本体枠は前記引戸の移動時の傾きないしは跳ね上がりを防ぐために用いられる隙間調整用のスペーサを前記横溝内に有しているとともに、前記スペーサは取付部又は前記取付部に一体になった他のスペーサに対し裁断可能に接続されており、裁断後に前記取付部又は前記取付部から延びた延長部に重ねられることを特徴とする請求項１に記載の摺動補助機構。
【請求項１１】
前記引込ユニットは、前記本体枠の横溝内に取り付けられた状態で、前記ケースの一側外面に沿って案内される前記遮光板部を介して前記作動部材を相対的に位置だし可能であり、かつ、前記ケースに設けられてケースの一部を一端より所定長さ幅細となった誘い部から前記係合突起を導いて前記ラッチに当接可能になっていることを特徴とする請求項３から７の何れかに記載の摺動補助機構。
【請求項１２】
請求項１から９の何れかに記載の摺動補助機構により引き込み可能な戸首付き引戸。
【発明の詳細な説明】
【技術分野】
【０００１】
本発明は、引戸を付勢手段に蓄積された付勢力により開から閉へ切り換えたり、閉から開へ切り換えられようにする摺動補助機構、及びその機構により引き込まれる戸首付き引戸に関する。なお、対象の摺動補助機構は引戸クローザーなどとも称されている。
【背景技術】
【０００２】
図２２は特許文献１の摺動補助機構を示している。この機構では、本体枠が引戸を摺動自在に配置しており、作動部材である係合突起（係合ピン）９を引戸に設け、本体枠に設けられた摺動補助機構の主要部である引込ユニットにより引戸を係合突起９を介して引き込む。この引込ユニットは、本体枠に取り付けられるケース１、ケース１に摺動自在に配されたスライダー２Ａ，２Ｂ、各スライダーに対しシャフト８を介して回転可能に支持されたラッチ５，５、付勢手段３からなる。係合突起９は引戸の上端面に突設される。
【０００３】
ここで、ケース１は、本体枠のガイド用溝に沿って配置される関係で細長いとともに薄く形成される。各スライダー２Ａ，２Ｂは、上下面に設けられた凸部２２を有し、各凸部２２がケース１の上下面に設けられたガイド溝１２ｂ，１６ｂに嵌合し、それら上下のガイド手段により案内されながら摺動される。また、各ラッチ５は、上下面に設けられた突起５２を有し、各突起５２がケース１の上下面に設けられたガイド溝１４，１９に嵌合し、それら上下のガイド手段により案内されながら摺動される。各ガイド溝１４，１９は、ガイド溝１２ｂ，１６ｂと平行な直線溝１４ａ，１９ａと、直線溝１４ａ，１９ａの両側に設けられた略Ｌ形の係止溝１４ｂ，１９ｂとからなる。
【０００４】
以上の摺動補助機構において、図２２（ａ）の両側のラッチ５及び（ｂ）の右側ラッチ５は待機姿勢である。この待機姿勢では、上下の突起５２が対応する係止溝１４ｂ，１９ｂに係止されて、ラッチ５がスライダー２Ａと共に付勢手段３に蓄積された付勢力に抗し位置規制されている。そして、同（ａ）の状態から、不図示の左側の開位置にある引戸を開から閉方向へ摺動操作すると、係合突起９が対応する引込ユニットのラッチ５のフック部５０内面に当たり、ラッチ５がその応力で回転されて待機姿勢から（ｂ）の左側のごとく引込姿勢に切り換えられる。この引込姿勢では、ラッチ５が係合突起９をフック部内に拘束した状態で、上下の突起５２が係止溝１４ｂ，１９ｂから直線溝１４ａ，１９ａに入って係止解除される。このため、ラッチ５及びスライダー２Ａは、付勢手段３に蓄積された付勢力により摺動され、引戸を係合突起９を介して閉位置に自動で切り換える。また、閉位置から、該引戸の開操作によって、係合突起９がラッチ５と共に図面の左側へ摺動されると、それに伴って付勢手段３に付勢力を蓄積する。更に引戸が開方向へ動かされると、再び待機姿勢に切り換えられる。
【先行技術文献】
【特許文献】
【０００５】
【特許文献１】特開２００８−１４４５６７号公報
【発明の概要】
【発明が解決しようとする課題】
【０００６】
上記した摺動補助機構は、例えば引戸が閉操作されるとき、途中から付勢力により閉位置まで自動的に切り換えられるため引戸の使い勝手を向上し、引戸の不完全な閉状態の発生を解消できる。また、上記の引込ユニットは、図２２（ａ）の形態に代えて、左右片側つまり対のラッチ及びスライダー並びに付勢手段で構成したり、更に単一のラッチ及びスライダー並びに付勢手段にて構成可能なため、例えば、本体枠側の横溝に沿って開閉される引戸にも適用できる。
【０００７】
ところで、戸首付き引戸の場合は、図２２（ａ），（ｂ）に示されるごとく本体枠を構成している鴨居の横溝に引戸の細くなった戸首を嵌合するため、横溝の溝幅は大きくても７分溝（２１ｍｍ）であり、戸首１６の幅寸法も２０ｍｍ程度となる。このため、通常は、引込ユニットを戸首側に配設し難く、作動部材も引込ユニットとの関係を保って戸首側に付設し難かった。このような背景から、従来は上記摺動補助機構のようなタイプは戸首付き引戸に適用不能と考えられており、それに代わる機構として特開２００７−１２０１４２号公報などに開示されている引戸を巻き上げ式ワイヤーにより引き込む駆動ワイヤータイプを適用するようにしていた。ところが、駆動ワイヤータイプでは、引戸側への組込構造が複雑となって引戸自体を交換しなければならなかった。なお、特開２００８−１４４５６７号公報には、引込ユニットを引戸の戸首に配置した構成を開示しているが、戸首の一部を切除した後に設置用の凹状部を形成しなくてはならず複雑となる。
【０００８】
本発明の目的は、上記したような課題を解消して、引込ユニット及び作動部材からなる摺動補助機構を戸首付き引戸に容易に適用できるようにし、簡易化及び外観特性を維持して作動特性を向上することにある。
【課題を解決するための手段】
【０００９】
請求項１の本発明は、第１及び第２形態に示されるごとく、本体枠側の横溝に配設されるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、前記本体枠の横溝に沿って移動される引戸に取り付けられて前記ラッチを待機姿勢から引込姿勢に切り換えたり引込姿勢から待機姿勢に切り換える作動部材とを備え、前記ラッチが前記待機姿勢から引込姿勢に切り換えられると、前記付勢手段に蓄積されていた付勢力により前記引戸を開から閉へ、又は、閉から開へ引き込む摺動補助機構であって、前記引戸が前記横溝に嵌合する戸首付きであり、前記作動部材が前記引戸の戸首側の端面（戸首を突出する側の端面であればよい）に取り付けられていることを特徴としている。
【００１０】
以上の本発明において、引戸には戸首付き障子及び戸首付き襖なども含まれる。本体枠は、引戸の戸首と嵌合する横溝を有しているとともに、引戸を開位置と閉位置とに摺動自在に支持する矩形枠である。通常は、下側の横木ないしは敷居、上側の横木ないしは鴨居と、両側の縦木により引戸に対応した大きさの開口部を区画している。作動部材は、引戸の端面の内、戸首を突出している端面に当該戸首の一部と代えた状態で取り付けられてラッチを引込姿勢と待機姿勢とに切り換える。待機姿勢では、ラッチがスライダーと共に付勢手段に蓄積された付勢力に抗し係止されている。引込姿勢では、ラッチが作動部材を内側に拘束した状態で係止解除され、蓄積された付勢力により引戸を開（開途中を含む）から閉へ、又は、閉から開（開途中を含む）へ位置まで移動する。
【００１１】
以上の本発明は、請求項２〜５のごとく具体化されることがより好ましい。すなわち、
（ア）前記引戸は前記戸首の一部を戸首一端から所定長さ切断した取付部を形成しているとともに、前記作動部材は前記取付部に装着される固定板部及び前記固定板部に突設されて前記ラッチに係脱される係合突起を有している構成である（請求項２：第１形態）。
（イ）前記作動部材は、前記固定板部に一体化されて固定板部の長手方向に沿う一側に起立されて前記戸首の片面と連続する状態に配置されるガイド兼用の遮光板部を有している構成である（請求項３：第１及び第２形態）。
（ウ）前記固定板部と前記遮光板部とを縦断面略Ｌ形に形成しているとともに、前記係合突起を前記固定板部の板幅のうち前記遮光板部から離れる側に立設している構成である（請求項４：第１及び第２形態）。
【００１２】
（エ）前記作動部材は、前記引戸の戸首の一部となる戸首形成部を有している構成である（請求項５：第２形態）。
（オ）前記戸首形成部と略直線上に配置される受け部材を有し、前記受け部材及び前記戸首形成部により前記引戸の戸首を形成している構成である（請求項６：第２形態）。
（カ）前記作動部材の戸首形成部と前記受け部材との間に配置された遮光部材を有している構成である（請求項７：第２形態）。
（キ）前記作動部材は、前記引戸の移動時の傾きないしは跳ね上がりを防ぐために用いられる隙間調整用のスペーサを有している構成である（請求項８：図２１の変形例２）。
（ク）前記スペーサは、取付部又は前記取付部に一体になった他のスペーサに対し裁断可能に接続されており、裁断後に前記取付部又は前記取付部から延びた延長部に重ねられる構成である（請求項９：図２１の変形例２）。
【００１３】
（ケ）前記本体枠は前記引戸の移動時の傾きないしは跳ね上がりを防ぐために用いられる隙間調整用のスペーサを前記横溝内に有しているとともに、前記スペーサは取付部又は前記取付部に一体になった他のスペーサに対し裁断可能に接続されており、裁断後に前記取付部又は前記取付部から延びた延長部に重ねられる構成である（請求項１０：図１９及び図２０の変形例１）。
（コ）前記引込ユニットは、前記本体枠の横溝内に取り付けられた状態で、前記ケースの一側外面に沿って案内される前記遮光板部を介して前記作動部材を相対的に位置だし可能であり、かつ、前記ケースに設けられてケースの一部を一端より所定長さ幅細となった誘い部から前記係合突起を導いて前記ラッチに当接する構成である（請求項１１：第１及び第２形態）。以上の位置だし作用は、通常、ケースの設置面が幅広になっていてその幅広になった隙間に沿って前記遮光板部を案内することになる。
（サ）これに対し、請求項１２は以上の摺動補助機構により引き込み可能な戸首付き引戸を特定したものである。
【発明の効果】
【００１４】
請求項１の発明では、各形態に例示されるごとく戸首付き引戸であっても、従来の戸首なしの引戸と同様に、本体枠の横溝に配設された引込ユニットに対応して、作動部材を有した戸首付きの引戸として実施できる。
【００１５】
請求項２の発明では、戸首の一部を切断した取付部に装着される固定板部に係合突起を設けることにより、戸首付きの引戸にも摺動補助機構として、特開２００７−１２０１４２号公報に例示されるような駆動ワイヤータイプではなく、上記引込ユニット及び作動部材からなる摺動補助機構を容易に採用できる。また、例えば特開２００８−１４４５６７号公例に記載の構造に比べて、既存の戸首付き引戸に簡単に後付け可能にして、戸首付き引戸の外観特性を維持しながら作動特性を向上できる。
【００１６】
請求項３の発明では、固定板部に一体化されて固定板部の長手方向に沿う一側に起立されて戸首の片面と連続する状態に配置されるガイド兼用の遮光板部を有しているため、例えば室内の光が戸首の切断箇所より外へ洩れるという虞を解消できるとともに、請求項１１の案内作用も兼ねる。
【００１７】
請求項４の発明では、固定板部と遮光板部を縦断面略Ｌ形に形成しているため取付部への位置決め及び固定操作が容易となり、また、作動部材を固定板部の板幅のうち遮光板部から離れる側に立設しているためラッチに当接し易く、戸首の一部切断に起因した引戸のがたつき発生を防ぐことができる。
【００１８】
請求項５の発明では、作動部材が第２形態のごとく引戸の戸首の一部となる戸首形成部を有しているため請求項６や７のような展開を可能にする。すなわち、請求項６の発明では、前記戸首形成部と略直線上に配置される受け部材を有し、受け部材及び戸首形成部により引戸の戸首を形成しているため、従来の戸首付き引戸に比べ、引戸としては第２形態のごとく戸首側の端面を平坦面にした状態で作製し、その平坦面に作動部材及び受け部材を付設して戸首を形成することにより、引戸作製工数を低減でき、摺動補助機構を簡単に採用できるようにする。更に、請求項７の発明では、戸首形成部と受け部材との間に配置された遮光部材を有しているため、室内の光が外へ洩れるという不具合を確実に解消できる。
【００１９】
請求項８の発明では、作動部材が取付部及び係合突起と共に隙間調整用のスペースを有しているため、例えば本体枠の横溝と引戸の戸首との間の相対的隙間が大きくなるとき、又は、引戸が継続使用により変形して移動時に跳ね上がってスムースに移動できなくなったときに、スペーサを使って隙間調整を的確に行うことができる。
【００２０】
請求項９の発明では、スペーサを取付部又は取付部に一体になった他のスペーサに対し裁断して、取付部又は取付部から延びた延長部に重ねることで隙間調整を迅速に実施できる。
【００２１】
請求項１０の発明では、本体枠が横溝内に引込ユニットと共に隙間調整用のスペーサを有しているため、例えば本体枠の横溝と引戸との間の相対的隙間が大きくなるとき、又は、引戸が継続使用により変形して移動時に跳ね上がってスムースに移動できなくなったときに、スペーサを使って隙間調整を的確に行うことができる。この場合、上記請求項９と同様にスペーサを取付部又は取付部に一体になった他のスペーサに対し裁断して、取付部又は取付部から延びた延長部に重ねることで隙間調整を迅速に実施できる。
【００２２】
請求項１１の発明では、引込ユニットを構成しているケースの側部に沿って遮光板部をトレースしたり、ケースに設けた誘い部に沿って作動部材の係合突起を導いてラッチと当接することにより、引込ユニットに対する引戸側作動部材の位置精度を維持して作動特性を良好に保つ。このような構造は、引込ユニットが本体枠の横溝内に取り付けられるため幅寸法として溝幅（通常は２０ｍｍ前後）より小さくなり、作動部材とラッチとの位置精度を如何に維持するかという点から工夫されたものである。
【００２３】
請求項１２の発明では、戸首付き引戸として以上の各請求項の摺動補助機構の利点を具備できる。
【図面の簡単な説明】
【００２４】
【図１】第１形態の摺動補助機構を構成している引込ユニット及びストライカーユニットを示す分解構成図である。
【図２】上記引込ユニットから上側のケース本体を外した態様で、（ａ）はラッチが待機姿勢の状態での平面図、（ｂ）はラッチが引込姿勢の状態での平面図である。
【図３】（ａ）は引戸及び本体枠を示す模式図、（ｂ）は（ａ）のＡ部の構成を示す模式図、（ｃ）は（ａ）のＢ部を示す引戸上側の模式図、（ｄ）は（ｃ）のＣ方向から見た図である。
【図４】上記引込ユニットのケースを示し、（ａ）はケース本体の平面図、（ｂ）はカバーの平面図である。
【図５】上記引込ユニットのラッチを示し、（ａ）は平面図、（ｂ）は右側面図、（ｃ）は正面図である。
【図６】上記引込ユニットのスライダーを示し、（ａ）は平面図、（ｂ）は右側面図、（ｃ）は正面図である。
【図７】（ａ）は引戸を開から閉方向へ摺動操作している状態を示す模式図、（ｂ）はその状態での摺動補助機構を示す模式図、（ｃ）は（ｂ）のＣ部拡大図である。
【図８】（ａ）は引戸が閉方向へ自動で摺動される直前状態を示す模式図、（ｂ）はその状態での摺動補助機構を示す模式図、（ｃ）は（ｂ）のＤ部拡大図、（ｄ）は引戸が（ｃ）から更に閉方向へ摺動した態様でのＤ部拡大図である。
【図９】（ａ）は引戸が閉位置に摺動された状態を示す模式図、（ｂ）はその状態での摺動補助機構を示す模式図、（ｃ）は（ｂ）のＥ部拡大図である。
【図１０】第２形態の引込ユニットを本体枠に取り付けた状態で示し、（ａ）は側面図、（ｂ）は下から見上げた下面図、（ｃ）は引込ユニット単品図である。
【図１１】第２形態のストライカーユニットを遮光部材と共に引戸に取り付けた状態を示し、（ａ）は上面図、（ｂ）は側面図、（ｃ）は引戸上側の構成図である。
【図１２】第２形態の引込ユニットの分解構成図である。
【図１３】第２形態のラッチを示し、（ａ）は平面図、（ｂ）は（ａ）のＡ矢印方向から見た側面図、（ｃ）は（ａ）のＢ矢印方向から見た正面図である。
【図１４】第２形態のスライダーを示し、（ａ）は平面図、（ｂ）は（ａ）のＣ矢印方向から見た側面図、（ｃ）は（ａ）のＤ矢印方向から見た正面図である。
【図１５】第２形態のストライカーユニットを示す斜視図である。
【図１６】（ａ）は第２形態の遮光部材を受け部材などと共に示す概略構成図、（ｂ）はその遮光部材の縦断面図である。
【図１７】上記摺動補助機構の適用例をラッチの待機姿勢で示し、（ａ）は引戸上部分の模式状態図、（ｂ）は引戸を上から見た模式状態図、（ｃ）は（ｂ）の引込ユニット単品の拡大図である。
【図１８】上記適用例をラッチの引込姿勢で示し、（ａ）は引戸上側の模式状態図、（ｂ）は引戸を上から見た模式状態図、（ｃ）は（ｂ）の引込ユニットの拡大図である。
【図１９】第２形態の引込ユニットと共に隙間調整用スペーサを本体枠に取り付けた変形例１を示し、（ａ）は側面図、（ｂ）は下面図、（ｃ）はスペーサ単品図である。
【図２０】上記スペーサの使い方を示し、（ａ）はスペーサの下面図、（ｂ）は一部裁断した状態での概略斜視図、（ｂ）はスペーサを重ねた状態での概略斜視図である。
【図２１】第２形態のストライカーユニットの変形例を遮光部材及び受け部材と共に引戸に取り付けた変形例２を示し、（ａ）は上面図、（ｂ）は側面図、（ｃ）は引戸上側の模式状態図、（ｄ）はストライカーユニットの単品図である。
【図２２】特許文献１の摺動補助機構を示し、（ａ）は引込ユニットの構成図、（ｂ）はその要部作動図である。
【発明を実施するための形態】
【００２５】
本発明形態を図面を参照しながら説明する。なお、図面では、引込ユニットが幅寸法として約２０ｍｍであり作図上の制約から細部を簡略化したり省略している。以下の説明では、各形態の機構特徴、図１〜図９に示された第１形態の引込ユニット及びストライカーユニット並びにその作動、図１０〜図１８に示された第２形態の引込ユニット及びストライカーユニット並びにその作動、図１９及び図２０に示された変形例１、図２１に示された変形例２の順に詳述する。
【００２６】
（各形態の機構特徴）対象の摺動補助機構は、図３に例示したごとく引戸９Ａ，９Ｂを開位置と閉位置と摺動して切り換える構成のうち、特に戸首４５付き引戸９Ａ，９Ｂに適用するため工夫したものである。ここで、引戸９Ａ，９Ｂは、上端面４６に一段高くなった戸首４５を有している。この戸首４５は、幅が２０ｍｍ程度で、本体枠側の横溝４３の溝幅Ｌに嵌合する寸法である。本体枠は、上側の鴨居４０及び下側の敷居４１と、両側の縦木４２により矩形の開口部を区画している。鴨居には、各引戸９Ａ，９Ｂの戸首４５に対応する一対の横溝４３が平行に形成されている。なお、以下の説明では、摺動補助機構を引戸９Ａの方に適用した例で明らかにする。但し、摺動補助機構は引戸９Ｂの方にも同様に適用されるものである。このため、第２形態では引戸９と表記する。
【００２７】
すなわち、この摺動補助機構は、図１〜図３又は図１０〜図１２に示されるごとく、引込ユニット６又は６Ａ及び作動部材としてのストライカーユニット７又は７Ａから構成されている。引込ユニット６又は６Ａは、本体枠側横溝４３に配設されるケース１と、ケース１に摺動自在に配されたスライダー２と、スライダー２に支持されてケース対応部に係止する待機姿勢と係止解除する引込姿勢とに切り換えられるラッチ３と、付勢手段４と、制動手段５とを有し、ラッチ３が待機姿勢から引込姿勢に切り換えられると、付勢手段４に蓄積されていた付勢力により引戸９を開から閉位置へ引き込むようにする。
【００２８】
ストライカーユニット７又は７Ａは、引戸９Ａのうち、戸首４５を突出している引戸９Ａの端面４６に当該戸首の一部と代えた状態で取り付けられている。この場合、ストライカーユニット７では、端面４６に取り付けられる固定板部５５と、固定板部５５に立設されてラッチ３を待機姿勢から引込姿勢に切り換えたり引込姿勢から待機姿勢に切り換える作動部材としての係合突起５６と、固定板部５５の長手方向に沿う一側に起立された遮蔽板５７とを有しており、引戸９Ａの戸首４５の一部を戸首一端側より所定長さ切断した取付部４７に対し固定板部５５を介して装着される。ストライカーユニット７Ａでは、端面４６に取り付けられる固定板部５５、前記と同じ係合突起５６、引戸９の首部の一部を形成する首部形成部５８を有しており、引戸９Ａの戸首側の平坦面に形成された端面４６（上側端面であるが、下側端面でもよい）に対し固定板部５５を介して装着される。この構造では、引戸９の戸首が端面４６に略直線上に配設された前記戸首形成部分５８及び受け部材８で戸首を形成している。
【００２９】
（第１形態の引込ユニット）引込ユニット６の細部を明らかにする。ケース１は、図１及び図４に示されるごとく上記した横溝４３に対応して細長く、長手方向の一端から他端の途中まで幅細となるよう切り欠いた誘い部１ａと、一端側より誘い部１ａに向けて傾斜した案内部１ｂとを形成しているとともに、設置面となる上面１０及び両側面１２並びに下側開口を閉じているカバー１５により内部を区画形成している。ケース１には、付勢手段用配置部１１ａ及び制動手段用配置部１１ｂと、長手方向の両端を平坦に形成した取付部１３ａ，１３ｂと、取付部１３ｂの手前に立設された縦壁１２ｂと、縦壁１２ｂのうち配置部１１ａ側に設けられて付勢手段４であるコイルばねの一端を係止する係止部１２ｃ、及び配置部１１ｂ側に設けられて制動手段５であるシリンダー５０の端部を係止する規制部１２ｄと、ガイド部１４とが設けられている。ガイド部１４は、両配置部１１ａと１１ｂとの間にあって、略中間位置より取付部１３ａの手前に向かって延びている直線溝１４ａと、直線溝１４ａから取付部１３ａ側の端末から略Ｌ形段差となっている係止溝１４ｂとからなる。
【００３０】
カバー１５には、付勢手段用配置部１５ａ及び制動手段用配置部１５ｂと、片側を長手方向に切り欠いて後述する作動部材である係合突起５６をカバーの幅中央側に導く誘い部１５ｃと、取付部１３ａに重ねられる取付部１８ａと、配置部１５ａに配置される付勢手段４であるコイルばねの遊びを抑えるガイド片１８ｄと、取付部１８ａと反対側の端部１９ａにあって配置部１５ｂ側に設けられて制動手段５であるシリンダー５０の端部を係止する規制部１９ｂと、ガイド部１４に対応したガイド部１６とが設けられている。ガイド部１６は、直線溝１４ａに対応する直線溝１６ａと、係止部１４ｂに対応する略Ｌ形段差となっている係止溝１６ｂとからなる。             
【００３１】
ケース側の両側面１２及びカバー側の両側１７には、カバー１５をケース１に重ねたときに互いに係合する係止部１２ａと係合部１７ａとが複数対に設けられている。また、ケース側の取付部１８ａ及びカバー側の取付部１８ａには、カバー１５をケース１に重ねたときに互いに係合する爪付きの係止脚１３ｃと孔付きの係合部１８ｃとが設けられている。そして、この例では、カバー１５がそれらの係合を介してケース１に装着され、その状態でカバー側誘い部１５ｃに後述するラッチ３を露出するようになっている。
【００３２】
スライダー２は、図１と図２及び図６に示されるごとくケース１１とカバー１５との間の空間に配置される樹脂製の小ブロック状をなし、上下面２０，２１に設けられた凸部２３，２４及び貫通孔２６と、背面２２に設けられて貫通孔２６に通じている差込穴２５と、上面２０の下側に突設されている連結用軸部２７と、軸部２７の端面に設けられて凸部２４と同軸線上に配置されている凸部２７ａとを有している。なお、図１において、上面２０はカバー１５側に配置されて凸部２３がガイド部１６と嵌合し、下面２１はケース１側に配置されて凸部２４がガイド部１４に嵌合する。貫通孔２６には制動手段５が連結される。
【００３３】
ここで、制動手段５はピストン式ダンパー式が使用されている。このピストン式ダンパーは公知のもの（例えば、特開２００６−２９５６４号等）であればよく、シリンダー５０及び該シリンダー５０に緩やかに出没されるピストンロッド５１を有し、例えば、ピストンロッド５１が固定側シリンダー５０に対し緩やかに駆動する構成であればよい。シリンダー５０は図１のごとく後端外周に首状係止溝５０ａを有し、ピストンロッド５１は先端外周に首状係止溝５１ａを有している。
【００３４】
ラッチ３は、ストライカー２とほぼ同じ厚さからなる樹脂成形体であり、上下面３０，
３１に設けられた凸部３３，３４と、背面３２に設けられて上下方向に貫通している枢支孔３７と、背面３２と反対側つまり前側に設けられた爪部３５と、爪部３５の内側を欠肉した拘束部３６と、背面３２側から一側部に突設されているばね用係止部３８とを有している。なお、図１において、上面３０はカバー１５側に配置されて凸部３３がガイド部１６と嵌合し、下面３１はケース１側に配置されて凸部３４がガイド部１４に嵌合する。枢支孔３７には軸部２７が嵌合される。係止部３８は、掛止め孔３９を形成し、そこに付勢手段４の対応端が係止される。
【００３５】
ここで、付勢手段４は圧縮コイルバネが用いられている。このバネの全寸は、図２（ｂ）のごとく付勢力を解放した状態で、シリンダー５０の長さとほぼ等しくなっており、同（ａ）のごとくピストンロッド５１を介して最大まで長くすることで付勢力を蓄積できるようにしている。両端には取付用の係止部４ａ，４ｂが設けられている。
【００３６】
以上の各部材は、例えば、スライダー２及びラッチ３を軸部２７及び枢支孔３７の係合を介して連結した状態で、制動手段５であるピストン式ダンパー及び付勢手段４であるコイルバネとともにケース１に組み入れ、かつケース１にカバー１５を取り付けることで引込ユニット６として完成される。
【００３７】
また、ピストンロッド５１は、スライダー２に対しロッド先端を差込穴２５に挿入した状態で止め輪５２を貫通孔２６からロッド先端外周の係止溝５１ａに係合することで連結される。制動手段５とスライダー２及びラッチ３は、ケース１の配置部１１ｂに沿って配置される。そして、シリンダー５０は、上記した規制部１２ｄ（とカバー装着状体ではカバー側規制部１９ｂ）との間に係止溝５０ａを係合することでケース１に位置固定される。スライダー２及びラッチ３は、下側の凸部２４及び凸部３４がケース側ガイド部１４に嵌合し（かつ、カバー装着状体では上側の凸部２３及び凸部３３がカバー側ガイド部１６に嵌合）した状態でケース１に摺動自在に配置される。付勢手段４の圧縮コイルバネは、一端側の係止部４ａがケース側係止部１２ｃに係止され、他端側の係止部４ｂがラッチ側係止部３８の掛止め孔３９に係止される。
【００３８】
そして、ラッチ３は、凸部３３，３４がスライダー２の摺動に伴って直線溝１４ａ，１６ａに沿って摺動される引込姿勢と、直線溝１４ａ，１６ａから係止溝１４ｂ，１６ｂに入って係止される待機姿勢とに切り換えられる。なお、この例では、付勢手段４である圧縮コイルバネの他端係止部４ｂをラッチ３に係止したが、これに代えて他端係止部４ｂをスライダー２側に係止してもよい。この場合、スライダー２には、図６（ａ）に想像線で例示したような係止孔付きの係止部２８が設けられることになる。
【００３９】
（第１形態のストライカーユニット）この例では、取付用固定板部５５の上面に立設された作動部材である係合突起５６と、固定板部５５に一体化されて固定板部の長手方向に沿う一側に起立されている遮光板部５７とを有した樹脂成形体からなる。固定板部５５と遮光板部５７とは縦断面が略Ｌとなっている。固定板部５５は、両側にねじ用取付孔を有し、長さがケース１の全寸とほぼ同じくし、板幅が図３のごとく戸首４５の幅寸法とほぼ同じである。遮光板部５７は、戸首４５と略同じ高さ寸法であり、戸首４５の一部を戸首一端から略ケース１の長さだけ切断した取付部４７に対し固定板部５５をねじなどで固定した状態で、戸首４５の片面と連続する状態に配置される。
【００４０】
（作動）図７〜図９は以上の摺動補助機構、つまり引込ユニット６及びストライカーユニット７の作動を示している。ここでは、図３の引戸９Ａに適用した場合を想定し作動を明らかにする。
【００４１】
（１）図７は引戸９Ａを開から閉方向へ移動操作している過程を示している。この状態では、引込ユニット６における左側部分、つまりラッチ３の待機姿勢をストライカーユニット７と共に示している。このラッチの待機姿勢においては、付勢手段４であるコイルバネは引き延ばされて付勢力を蓄積している。ラッチ３は、凸部３３，３４がケース側係止溝１４ｂ及びカバー側係止溝１６ｂに係止され、それによりスライダ２Ａを付勢手段３の付勢力に抗して位置規制している。
【００４２】
（２）ここで、以上の摺動補助機構では、まず、引戸９Ａが全開状態から図７よりも手前まで移動されると、ストライカーユニット７が鴨居側横溝４３の溝底部に取り付けられている引込ユニット６の対応部に摺接しながら移動され、それにより引込ユニット６に対して高精度に位置出しされる。このため、横溝４３に対し戸首４５が遊びを持っていても、戸首側係合突起５６と引込ユニット６側のラッチ３とが常に設計通りに係止したり係止解除されるよう工夫されている。加えて、係合突起５６は、引戸９Ａが閉方向へ移動されて図７の状態から更に右側へ若干動くと、引込ユニットを構成しているカバー１５に設けられた誘い部１５ｃに沿ってラッチ３の対応部に確実に当接されるよう工夫されている。
【００４３】
（３）図８はラッチが引込姿勢に切り換えられる過程を示している。このラッチの姿勢切換は、ラッチ３が図８（ｃ）の待機姿勢にあるとき、引戸９Ａが更に閉方向へ移動されて、引戸９Ａの係合突起８が拘束部３６の対応部に当たる。ラッチ３は、その応力により軸部２７を支点として逆時計回りに回転され、その回転により凸部３３，３４が係止溝１４ｂ，１６ｂから係止解除されて直線溝１４ａ，１６ａと嵌合して引込姿勢に切り換えられる。係合突起５６はラッチ側爪部３５の内側つまり拘束部３６に拘束される。
【００４４】
（４）図９はラッチが引込姿勢に切り換えられた後、引戸９Ａが付勢手段４の付勢力により閉位置まで移動された状態を示している。すなわち、この摺動補助機構では、ラッチ３が図８（ｄ）のごとく引込姿勢に切り換えられると、係合突起５６をラッチ側拘束部３６に拘束する。この拘束状態で、引戸９Ａは、スライダー２がラッチ３と共に付勢手段４の付勢力により移動され、その移動に係合突起５６を介して連動して閉位置まで移動される。この場合、この形態では、引戸９Ａが付勢手段４の付勢力により移動されるとき、上記した制動手段５の制動を受けて緩やかに摺動される。
【００４５】
（５）引戸９Ａの閉位置では、固定板部５５に一体化されて長手方向に沿う一側に起立されて戸首４５の片面と連続する状態に配置される遮光板部５７を有しているため、例えば室内の光が戸首４５の切断箇所つまり一段低くなった取付部４７より外へ洩れるという虞を解消できる。
【００４６】
（６）以上の引戸９Ａは、閉位置から開方向へ移動操作する過程において、ラッチ３が引込姿勢になっていて拘束部３６に係合している係合突起５６を介して左側へスライダー２と共に移動され、この移動により付勢手段４に付勢力を蓄積する。引戸９Ａが更に左側へ移動されて、ラッチ３が図８（ｄ）のごとく凸部３３，３４が直線溝１４ａ，１６ａから係止溝１４ｂ，１６ｂに達する。すると、ラッチ３は、係合突起５６が爪部３５を押し拘束部３６から抜け出すときの反力により軸部２７を支点として時計回りへ回転しながら、凸部３３，３４が係止溝１４ｂ，１６ｂに係合して待機姿勢に切り換えられる。付勢手段４に蓄えられた付勢力はラッチ３が待機姿勢にある限り保持されることになる。
【００４７】
（第２形態の引込ユニット）この引込ユニット６Ａは第１形態のものとほぼ同じくしている。すなわち、ケース１は、図２及び図３に示されるごとく横溝９ａに対応して細長く形成されており、長手方向の一端から他端の途中まで幅細となるよう切り欠いた誘い部１ａと、一端側より誘い部１ａに向けて傾斜した案内部１ｂとを形成しているとともに、設置面となる上面１０及び両側面１２並びに下側開口を閉じているカバー１５により内部を区画形成している。
【００４８】
ケース１内には、長手方向に沿う２列構成の付勢手段用配置部１１ａ及び制動手段用配置部１１ｂと、長手方向の両端側に貫通形成された取付穴１３ａ，１３ｂと、取付穴１３ｂの手前に立設された縦壁１２ｂと、縦壁１２ｂのうち配置部１１ａ側に設けられて付勢手段４であるコイルばねの一端４ａを係止する係止部１２ｃ、及び配置部１１ｂ側に設けられて制動手段５であるシリンダー５０の端部を係止する規制部１２ｄと、ガイド部１４とが設けられている。ガイド部１４は、両配置部１１ａと１１ｂとの間にあって、略中間位置より取付穴１３ａの手前に向かって延びている直線溝１４ａと、直線溝１４ａから取付穴１３ａ側の手前で略Ｌ形に屈曲されている係止溝１４ｂとからなる。
【００４９】
カバー１５には、ケース１に対応した不図示の付勢手段用配置部及び制動手段用配置部と、片側を長手方向に切り欠いてストライカーユニット６の係合突起６１をカバーの幅中央側に導く誘い部１５ｃと、取付穴１３ａに重ねられる穴１７ａ付きの取付部１８ａと、付勢手段４であるコイルばねの遊びを抑える不図示のガイド片と、取付部１８ａと反対側の端部側に設けられて制動手段５であるシリンダー５０の端部を上から押さえる不図示の規制部と、ガイド部１４に対応した不図示のガイド部とが設けられている。不図示のガイド部は、直線溝１４ａに対応する直線溝と、係止部１４ｂに対応する略Ｌ形の係止溝とからなる。 図３中、符号１８は前記ガイド片を形成するために設けられた凹部である。
【００５０】
ケースの両側面１２及びカバーの両側面１９には、カバー１５をケース１に重ねたときに互いに係合する係止部１２ａと係合部１９ａとが複数対に設けられている。そして、この例では、カバー１５がそれらの係合を介してケース１に装着され、その状態でカバー側誘い部１５ｃ（引込ユニット６Ａの誘い部１ａ）に後述するラッチ３を露出配置する。以上のケース１及びカバー１５は外形状としては、誘い部１５ｃを形成している箇所を除いて、高さ及び幅寸法が横溝４３に収まるよう設計されている。
【００５１】
スライダー２は、図１２及び図１３に示されるごとくケース１とカバー１５との間の空間に配置される樹脂製の小ブロック状をなし、上下面２０，２１に設けられた凸部２３，２４及び貫通孔２６ａ，２６ｂと、背面２２に設けられて貫通孔２６ａ，２６ｂに通じている差込穴２５と、上面２０側から下設されている連結用軸部２７とを有している。なお、図１２において、上面２０はカバー１５側に配置されて凸部２３が上記したカバー側のガイド部と嵌合し、下面２１はケース１側に配置されて凸部２４がガイド部１４に嵌合する。貫通孔２６ｂには止め輪５２が配置される。
【００５２】
付勢手段４及び制動手段５は第１形態と同じため説明を省く。ラッチ３は、図１２及び図１４に示されるごとくスライダー２とほぼ同じ厚さからなる樹脂成形体で、上下面３０，３１に設けられた凸部３３，３４と、背面３２付近に設けられて上下方向に貫通している枢支孔３７と、背面３２と反対側つまり前側に設けられた爪部３５と、爪部３５の内側を欠肉した拘束部３６と、背面３２側から一側部に突設されているばね用係止部３８とを有している。なお、図３において、上面３０はカバー１５側に配置されて凸部３３が上記したカバー側のガイド部と嵌合し、下面３１はケース１側に配置されて凸部３４がガイド部１４と嵌合する。枢支孔３７には軸部２７が嵌合される。係止部３８は掛止め孔３９を有し、そこに付勢手段４の他端４ｂを係止する。
【００５３】
以上の各部材は、例えば、スライダー２及びラッチ３を軸部２７及び枢支孔３７の係合を介して連結した状態で、制動手段５であるピストン式ダンパー及び付勢手段４であるコイルバネとともにケース１に組み入れ、かつ、ケース１にカバー１５を取り付けることで引込ユニット６Ａとして完成される。この場合、ピストンロッド５１は、図１８及び図１９の拡大図のごとくスライダー２に対しロッド先端を差込穴２５に挿入し、止め輪５２を貫通孔２６ｂ内でロッド先端外周の係止溝４３に係合することで連結される。制動手段５とスライダ２及びラッチ３は、ケース１の配置部１１ｂに沿って配置される。そして、シリンダー５０は、上記した規制部１２ｄ（と不図示のカバー側規制部）に係止溝４２を係合することでケース１に位置固定される。
【００５４】
スライダー２及びラッチ３は、下側の凸部２４及び凸部３４がケース側ガイド部１４に嵌合し（かつ、上側の凸部２３及び凸部３３が不図示のカバー側ガイド部に嵌合）した状態でケース１に摺動自在に配置される。付勢手段４であるコイルバネは、一端側の係止部４ａがケース側係止部１２ｃに掛け止めされ、他端側の係止部４ｂがラッチ側係止部３８の掛止め孔３９に係止される。そして、ラッチ３は、凸部３３，３４がスライダー２の摺動に伴って直線溝１４ａに沿って摺動される引込姿勢と、直線溝１４ａから係止溝１４ｂに入って摺動不能に係止される待機姿勢とに切り換えられる。
【００５５】
以上の引込ユニット６Ａは、図１０のごとく横溝４３に対し、設置面である上面１０が横溝内底面に着座するよう配置された状態で、穴１７ａ及び取付穴１３ａに挿入されるねじＭと、取付孔１３ｂに挿入されるねじＭにより固定操作される。また、この取付構造では、ケースの両側面１２及びカバーの両側面１９のうち、誘い部１ａ（１５ｃ）を形成している一方側面が横溝４３の一方内側面に隙間なく当接し、他方側面が横溝４３の他方内側面との間に若干の隙間を保つよう設定させている。この隙間は、後述するストライカーユニット側の遮光板部６３の対応部を逃がす寸法となっている。
【００５６】
（第２形態のストライカーユニット）第２形態では、図１１に示されるごとく引戸９が戸首なしの状態、つまりこの例だと上側端面４６が平坦面に形成されており、その端面４６にあって、引戸の左右端９ｃ，９ｄの間に配置されたストライカーユニット７Ａの一部及び受け部材８により戸首を形成するとともに、ストライカーユニット７Ａと受け部材８との間に配置された遮光部材８６を有している。
【００５７】
ストライカーユニット７Ａは、樹脂の射出成形体であり、図１５に示されるごとく細長く延びた固定板部５５と、固定板部５５の略中間位置にあって一側縁に突設された係合突起５６と、固定板部５５の一側縁に沿って略Ｌ形に立設された遮光板部５７、及び固定板部５５の他側縁にあって係合突起５６と一方端側に沿って略Ｌ形に立設された遮光板部５７ａ並びに一方端に設けられた矩形立体の受け部５８とを一体に形成している。
【００５８】
固定板部５５は、横溝４３に嵌合する戸首と同じ幅寸法であり、長孔状の取付孔５５ａと、円状の取付孔５５ｂと、受け部５８と反対側の端部に設けられた取付孔５５ｃとを有している。取付孔５５ｃには、図１１（ｃ）のごとく隙間吸収用スペーサＳが必要に応じ付設される。係合突起５６は引込ユニット６Ａのラッチ３と係脱される。遮光板部５７のうち、遮光板部５７ａと対向している部分及び遮光板部５７ａと、受け部５８とは引戸用首部形成部に設定されている。また、受け部５８は、両側面及び上下面並びに端面で区画されており、遮光部材７０を受け部材８との間で端面４６に取り付けるための手段と、引戸９の戸首形成部とを受け持つ。
【００５９】
すなわち、受け部５８には、取付孔５８ａが中央部に設けられるとともに、略逆Ｔ形の嵌合溝５９が端面に設けられている。嵌合溝５９は、下側の水平溝６５ａ（図面上は不図示）及び縦溝６５ｂからなり、遮光部材７０の対応端部７０ａを嵌合可能な溝形状となっている。すなわち、遮光部材７０の対応端部７０ａのうち、水平部７１の端部７１ａは前記水平溝に嵌合され、遮光部７２の端部７２ａは縦溝５９ｂに嵌合される。以上のストライカーユニット７Ａは、引戸９の上側端面４６に対して取付孔５５ａ，５５ｂ及び取付孔５８ａに挿通される３本のねじＭにより取り付けられる。取付孔５５ａ，５８ａは長孔形状であり、ストライカーユニット７Ａを端面４６に真っ直ぐに取り付けるとき幅方向に微調整可能にしている。
【００６０】
（受け部材）この受け部材８は、図１１及び図１６に示されるごとく遮光部材７０を引戸の端面４６に取り付けるための手段と、戸首形成作用とを受け持つ点で上記受け部５８と同じである。すなわち、受け部材８は、両側面８１及び上下面８２，８３並びに前後端面８４，８８で概略区画された樹脂成形体からなる。受け部材８には、上下面８２，８３を貫通している２つの取付孔８０と、前端面８４に刻設された略逆Ｔ形の嵌合溝８５と、後端面８８に突出されて後端面８８の下側から延びた座部８６上に位置している係止用縦壁８７とが設けられている。なお、後壁８７は、受け部材８が引分用引戸に用いられる際に使用される箇所であり、引分用以外の引戸の場合は省略してもよい。各取付孔８０は長孔形状となっており、受け部材８を図１１のごとく引戸の端面４６にあってねじＭによりストライカーユニット７Ａの延長線上に取り付けるとき幅方向に微調整可能となっている。嵌合溝８５は、縦溝８５ｂ及び下側の水平溝８５ａからなり、遮光部材７０の対応端部７０ａを嵌合可能な溝形状となっている。すなわち、遮光部材７０の対応端部のうち、水平部７１の端部７１ａは水平溝８５ａに嵌合され、遮光部７２の端部７１ａは縦溝８５ｂに嵌合される。
【００６１】
（遮光部材）この遮光部材７０は、引戸９が戸首なしの状態、つまりこの例だと端面４６が平坦面に形成され、そこにストライカーユニット７Ａ及び受け部材８により戸首を形成したため、室内の光が戸首に相当する部分を欠いている箇所から外へ漏れないように遮光する部材である。すなわち、遮光部材７０は、樹脂やラバーなどの弾性材質からなり、縦断面が略逆Ｔ形となっていて、水平部７１と、水平部７１に起立された遮光部７２と、水平部７１の両側から下向きに設けられた脚部７１ａと、両脚部７１ａの間にあって水平部７１の下面から下斜めに突出されて脚部７１ａよりも下へ延びている弾性当接部７３とを一体に形成している。また、遮光部材７０は、引戸の端面４６に取り付けられた状態において、ストライカーユニット側受け部５８及び受け部材８に比べ高さ寸法がほぼ同じであり、幅寸法がケース１の幅よりも小さく設定されている。
【００６２】
以上の遮光部材７０は、引戸の端面４６に対して、両側が端面４６に固定されるストライカーユニット側受け部５８と受け部材８とに係合された状態で取り付けられる。この取付状態において、遮光部材７０は、弾性当接部７３が端面４６に圧接しており、遮光部７２が引戸９の使用状態において横溝４６を介した光漏れを防ぐ。なお、遮光部材７０の取付構造は、係合構造に代えて引戸９の対応する端面に対し接着剤、両面接着テープ、圧入などであってもよい。
【００６３】
（作動）図１７及び図１８は、以上の摺動補助機構つまり引込ユニット６Ａ及びストライカーユニット７Ａの作動を示している。
（１）図７は引戸９を開から閉方向へ移動操作している過程を示している。この状態では、同（ｂ）の拡大図のごとく引込ユニット６Ａを構成しているラッチ３が待機姿勢となっている。このラッチ３の待機姿勢においては、付勢手段４であるコイルバネは引き延ばされて付勢力を蓄積している。ラッチ３は、凸部３３，３４がケース側係止溝１４ｂ及びカバー側係止溝に係止され、それによりスライダー２を付勢手段４の付勢力に抗して位置規制している。
【００６４】
（２）以上の摺動補助機構では、まず、引戸９が開から閉方向へ移動されると、ストライカーユニット６Ａの係合突起５６が横溝４３内に取り付けられている引込ユニット６Ａの案内部１ｂのガイド作用を伴って誘い部１ａ，１５ｃに沿って移動され、かつ、遮光板部５７がケース１の対応側面に沿って移動されることにより、引込ユニット６Ａに対して高精度に位置出しされる。このため、この構造では、引戸９が横溝４３に対し遊びを持っていても、ストライカーユニット６Ａの係合突起５６と引込ユニット６Ａのラッチ３とが設計通りに係止したり係止解除される。
【００６５】
（３）係合突起５６は、引戸９が閉方向へ更に移動されるとラッチ３の対応部に当たる。ラッチ３は、その応力により軸部２７を支点として逆時計回りに回転され、その回転により凸部３３，３４が係止溝１４ｂから係止解除されて直線溝１４ａと嵌合して引込姿勢に切り換えられる。同時に、係合突起５６はラッチ側爪部３５の内側、つまり拘束部３６に拘束される。
【００６６】
（４）図１８はラッチが引込姿勢に切り換えられた後、引戸９が付勢手段４の付勢力により閉位置に切り換えられた状態を示している。すなわち、この摺動補助機構では、ラッチ３が同図（ｂ）の拡大図のごとく引込姿勢に切り換えられると、係合突起５６をラッチ側爪部３５の内側に拘束する。この拘束状態で、引戸９は、スライダー２がラッチ３と共に付勢手段４の付勢力により摺動されるのと連動して、閉位置まで移動される。この場合、この形態では、引戸９が付勢手段４の付勢力により移動されるとき、上記した制動手段５の制動を受けて緩やかに摺動される。
【００６７】
（５）引戸９の閉位置では、遮光部材７０の遮光部７２により例えば室内の光が端面４６より外へ洩れるという虞を解消できる。以上の引戸９は、閉位置から開方向へ移動操作する過程において、ラッチ３が引込姿勢になっていて爪部３５の内側に係合している係合突起５６を介して左側へスライダー２と共に移動され、この移動により付勢手段４に付勢力を蓄積する。引戸９が更に左側へ移動されて、ラッチ３が図１７のごとく凸部３３，３４が直線溝１４ａから係止溝１４ｂに達する。すると、ラッチ３は、係合突起５６が爪部３５を押し内側から抜け出すときの反力により軸部２７を支点として時計回りへ回転しながら、凸部３３，３４が係止溝１４ｂに係合して待機姿勢に切り換えられる。付勢手段４に蓄えられた付勢力はラッチ３が待機姿勢にある限り保たれる。
【００６８】
（６）以上の構造では、従来の戸首付き引戸に比べ、引戸９としては戸首側の端面４６を平坦面の状態で作製し、その平坦面にストライカーユニット６Ａ及び受け部材８を付設して戸首を形成することにより、引戸作製工数を低減でき、摺動補助機構を簡単に採用できるようにする。更に、上記した戸首形成部と受け部材８との間に配置された遮光部材７０を有しているため、室内の光が外へ洩れるという不具合を確実に解消できる。
【００６９】
（変形例１）図１９及び図２０は、上記本体枠の横溝４３内に引込ユニット６Ａと共に隙間調整用スペーサＳ1を付設した一例を示している。このスペーサＳ1は、引戸９の移動時の傾きないしは跳ね上がりを防ぐために用いられるものであり、取付部６０又は取付部６０に一体になった他のスペーサに対し裁断可能に接続されているとともに、裁断後に取付部６０又は取付部６０から延びた延長部６４に設けられたスペーサ用の配置部６５に重ねられる構成である。
【００７０】
詳述すると、前記スペーサＳ1は、図２０に示されるごとく左右略中間の取付部６０と、取付部６０の一方側に延設されて配置部６５を形成している延長部６４と、取付部６０の他方側に切断可能に接続された複数の調整用スペーサ部６７とを一体に形成した射出成形体である。取付部６０には中央部に取付孔６２ａが設けられている。
【００７１】
延長部６４は、取付部６０の隣に形成されて矩形凹状のスペーサ用の配置部６５を有している。この配置部６５には、取付孔６５ａが中央部に設けられるとともに、位置決め孔６８が２箇所の角部に設けられている。複数のスペーサ部６７のうち、最初のスペース部６７は取付部６０の対応端に薄肉状の裁断予定部６６を介して接続され、２番目のスペーサ部６７は最初のスペーサ部６７の対応端に薄肉状の裁断予定部６６を介して接続され、３番目のスペーサ部６７は２番目のスペーサ部６７の対応端に薄肉状の裁断予定部６６を介して接続されている。各スペーサ部６７には、裁断予定部６６で切断した後、上下逆転した状態で配置部６５に重ねたときに、取付孔６５ａと一致する取付孔６７ａと、位置決め孔６８と一致する位置決め孔６９又はそれに代えて位置決め凸部とが設けられている。
【００７２】
以上のスペーサＳ1は、横溝４３に対し、取付部６０を溝内底面に位置決め配置した後、取付孔６２ａ，６２ｂに挿通される２本のねじＭにより取り付けられる。この取付状態において、１以上のスペーサ部６７を使って引込具用ケース１及び受け部材８Ａと横溝４３との間の隙間を適度に埋めるようにして前記隙間調整を的確かつ迅速に行うことができる。すなわち、この操作では、例えばスペーサＳ1を本体枠９の横溝４３に取り付けるときに、又は、取り付けた後で引戸９が継続使用により変形して移動時に跳ね上がってスムースに移動できなくなったときに、必要枚数のスペーサ部６７を裁断予定部６６を介して切り離し後、配置部６５に順に重ねるよう配置するとともに、ねじＭなどで取り付ける。
【００７３】
以上の構造では、横溝４３に加工を施すことなくスペーサＳ1を簡単に取り付けることができ、例えば引込ユニット６Ａを横溝４３に配置するとともに、邪魔にならない横溝４３の溝内に配置されるスペーサＳ1を活用して引戸９のスムースな移動を維持できるという利点を有している。なお、延長部６４は取付部６０の一部として捉えてもよい。
【００７４】
（変形例２）図２１は、ストライカーユニット７Ｂに隙間調整用スペーサＳ２を追加形成した一例を示している。すなわち、ストライカーユニット７Ｂは、同図に示されるごとく固定板部５５と、係合突起５６と、固定板部５５の一側縁に沿って略Ｌ形に立設された遮光板部５７、及び固定板部５５の他側縁にあって係合突起５６と一方端側に沿って略Ｌ形に立設された遮光板部５７ａ並びに一方端に設けられた矩形立体の受け部５８とを一体に形成している点でストライカーユニット６Ａと同じである。そして、このストライカーユニット７Ｂでは、固定板部５５にあって、受け部５８と反対側に前記したスペーサＳ1と同様なスペーサＳ２が一体的に形成されている。すなわち、このスペーサＳ２は、取付孔６２ａ付きの取付部６０と、取付部６０の一方（受け部５８）側に設けられた矩形凹状のスペーサ用配置部６５と、取付部６０の他方側に切断可能に接続された複数の隙間調整用スペーサ部６７とを一体に形成した射出成形体である。各スペーサ部６７は薄肉状の裁断予定部６６を介して容易に分離可能となっている。
【００７５】
配置部６５には、取付孔６５ａが中央部に設けられるとともに、位置決め孔が２箇所の角部に設けられている。複数のスペーサ部６７のうち、最初のスペース部６７は取付部６０の対応端に薄肉状の裁断予定部６６を介して接続され、２番目のスペーサ部６７は最初のスペーサ部６７の対応端に薄肉状の裁断予定部６６を介して接続され、３番目のスペーサ部６７は２番目のスペーサ部６７の対応端に薄肉状の裁断予定部６６を介して接続されている。各スペーサ部６７には、スペーサ部６７を裁断予定部６６で切断した後、上下逆転した状態で配置部６５に重ねたときに、取付孔６５ａと一致する取付孔６７ａと、位置決め孔又はそれに代えて位置決め凸部とが設けられている。
【００７６】
以上のストライカーユニット７Ｂは、複数のスペース部６７を有しているため、
例えばストライカーユニット７Ｂを引戸９の端面４６に取り付けるときに、又は、取り付けた後で引戸５０が継続使用により変形して移動時に跳ね上がってスムースに移動できなくなったときに、必要枚数のスペーサ部６７を裁断予定部６６を介して切り離し後、配置部６５に順に重ねるよう配置するとともに、ねじＭなどで取り付けることにより横溝９ａとの間の隙間を調整する。従って、以上のような構造でも、邪魔にならない箇所に配置されるスペーサ部６７を活用して引戸５０のスムースな移動を維持できるという利点を有している。
【００７７】
なお、本発明は、以上の形態に制約されるものではなく、請求項で特定される技術要素を備えておればよく、細部についてはこれをベースにして展開可能なものである。例えば、作動部材としてのストライカーユニットは引戸の上側端面でなく、下端面に戸首を付設するタイプでは引戸の下側端面に取り付ける構成でもよい。また、以上の摺動補助機構により引戸を閉から開方向へ自動的に切り換えるようにすることである。
【符号の説明】
【００７８】
１…ケース（１０は上面、１２は側面、１５はカバー）
２…スライダー（２３，２４は凸部、２７は軸部、２５は差込穴）
３…ラッチ（３３，３４は凸部、３５は爪部、３６は拘束部、３８は係止部）
４…付勢手段（４ａ，４ｂは両側の係止部）
５…制動手段（５０はシリンダー、５１はピストンロッド）
６，６Ａ…引込ユニット（１ａは誘い部）
７，７Ａ，７Ｂ…ストライカーユニット（作動部材：５５は固定板部）
８…受け部材（８１は側面、８５は嵌合溝）
９Ａ，９Ｂ,９…引戸（４５は戸首、４６は端面、４０は鴨居、４３は横溝）
４０…鴨居（本体枠を構成し、４３は横溝）
５６…係合突起
５７，５７ａ…遮光板部（対向している箇所が首部形成部）
５８…受け部（５９は嵌合溝）
Ｓ，Ｓ１，Ｓ２…隙間調整用スペーサ（６０は取付部、６７はスペーサ部）
【図１】
0005606799.tif 000002
【図２】
0005606799.tif 000003
【図３】
0005606799.tif 000004
【図４】
0005606799.tif 000005
【図５】
0005606799.tif 000006
【図６】
0005606799.tif 000007
【図７】
0005606799.tif 000008
【図８】
0005606799.tif 000009
【図９】
0005606799.tif 000010
【図１０】
0005606799.tif 000011
【図１１】
0005606799.tif 000012
【図１２】
0005606799.tif 000013
【図１３】
0005606799.tif 000014
【図１４】
0005606799.tif 000015
【図１５】
0005606799.tif 000016
【図１６】
0005606799.tif 000017
【図１７】
0005606799.tif 000018
【図１８】
0005606799.tif 000019
【図１９】
0005606799.tif 000020
【図２０】
0005606799.tif 000021
【図２１】
0005606799.tif 000022
【図２２】
0005606799.tif 000023